(57)【特許請求の範囲】
【請求項１】
パルプ紙が複数層積層されたシートから突出する凸部と、平坦な中間部と、窪んだ凹部とがエンボス加工され、
前記凸部および前記凹部は、その先端部が前記中間部と略平行な面とされ、前記先端部の中央が、前記中間部側に窪む窪みを有し、該窪みがエンボス加工により形成されたことを特徴とする清掃物品。
【請求項２】
前記シートの第１の方向に隣接する前記凸部、および前記第１の方向に直交する第２の方向に隣接する前記凸部は、隣接する前記凸部の中心を結ぶ断面において、前記中間部を介して隣接する前記凸部が連続し、
前記第１の方向に隣接する前記凹部、および前記第２の方向に隣接する前記凹部は、隣接する前記凹部の中心を結ぶ断面において、前記中間部を介して隣接する前記凹部が連続し、
前記第１の方向に対して４５°を成す第３の方向には、前記凸部と前記凹部とが交互に存在し、前記第３の方向に隣接する前記凸部と前記凹部の中心を結ぶ断面において、前記凸部と前記凹部とが連続していることを特徴とする請求項１記載の清掃物品。
【請求項３】
前記第１の方向または前記第２の方向に沿って折り畳まれることを特徴とする請求項２記載の清掃物品。
【請求項４】
前記凸部および前記凹部の少なくともどちらか一方の前記中間部からの立ち上がり角が、４５°〜７０°であることを特徴とする請求項１ないし３のいずれか１項記載の清掃物品。
【請求項５】
前記先端部の中間部からの高さは、０．４ｍｍ〜１．２ｍｍであることを特徴とする請求項１ないし４のいずれか１項記載の清掃物品。
【請求項６】
前記先端部の直径は、隣接する前記凸部の間または隣接する前記凹部の間の中間部の最短距離より大きいことを特徴とする請求項１ないし５のいずれか１項記載の清掃物品。
【請求項７】
前記シートは、一価アルコール、多価アルコール、グリコールエーテル、界面活性剤の内の少なくとも１種類以上と水とを含む薬液を、前記シート重量の１．０〜３．０倍の比率で含侵したことを特徴とする請求項１ないし６のいずれか１項記載の清掃物品。
【発明の詳細な説明】
【技術分野】
【０００１】
本発明は水解紙にエンボス加工を施し嵩高とした清掃物品に関し、特に薬液が含浸された清掃物品に関する。
【背景技術】
【０００２】
トイレ周辺の清掃のために、複数のパルプ紙が積層された清掃物品が使われている。このようなトイレ清掃用シートは、清掃を簡便にするために予め水、アルコールなどの洗浄用の薬液が含浸された状態で販売され、使用後にはトイレに流して廃棄できるように水解性を有している。
【０００３】
トイレ清掃用シートは、その使用目的上、拭き取り作業に耐える十分な強度と、手が汚れることなく衛生的に清掃ができるという安心感を使用者に与える、ある程度の厚みを必要とする。シートを厚くするために坪量を増加すると、シートの水解性の低下とコストアップを招くため、通常はシートにエンボス加工を行い、凸状のパターンまたは凹凸状のパターンを形成して嵩を増し厚くしている。このようなトイレ清掃用シートは、例えば特許文献１および２に記載されている。
【０００４】
エンボス加工で凸状または凹凸状のパターンを形成すれば、シートの水解性を維持したまま嵩を増やせるが、エンボス加工によってシートの強度は低下する。特に洗浄用の薬液が含浸され、湿潤状態での強度が要求されるトイレ清掃用シートなどの清掃物品では、エンボス加工によって嵩が増えても強度が低下しないことが要求されている。
【先行技術文献】
【特許文献】
【０００５】
【特許文献１】特開２００６−１６７３３号公報
【特許文献２】特開２０１３−２３７９５７号公報
【発明の概要】
【発明が解決しようとする課題】
【０００６】
本発明は、このような事情に鑑みてなされたものであり、その目的は水解性および強度に優れ、使用者に安心感を与える厚みのある清掃物品を提供することである。
【課題を解決するための手段】
【０００７】
上記課題を解決するために本発明に係る清掃物品は、パルプ紙が複数層積層されたシートから突出する凸部と、平坦な中間部と、窪んだ凹部とがエンボス加工され、前記凸部および前記凹部は、その先端部が前記中間部と略平行な面とされたことを特徴とする。
【０００８】
前記シートの第１の方向に隣接する前記凸部、および前記第１の方向に直交する第２の方向に隣接する前記凸部は、隣接する前記凸部の中心を結ぶ断面において、前記中間部を介して隣接する前記凸部が連続し、前記第１の方向に隣接する前記凹部、および前記第２の方向に隣接する前記凹部は、隣接する前記凹部の中心を結ぶ断面において、前記中間部を介して隣接する前記凹部が連続し、前記第１の方向に対して４５°を成す第３の方向には、前記凸部と前記凹部とが交互に存在し、前記第３の方向に隣接する前記凸部と前記凹部の中心を結ぶ断面において、前記凸部と前記凹部とが連続していることを特徴とする。
【０００９】
前記第１の方向または前記第２の方向に沿って折り畳まれることを特徴とする。
【００１０】
前記先端部の中央が、前記中間部側に窪んでいることを特徴とする。
【００１１】
前記凸部および前記凹部の少なくともどちらか一方の前記中間部からの立ち上がり角が、４５°〜７０°であることを特徴とする。
【００１２】
前記先端部の中間部からの高さは、０．４ｍｍ〜１．２ｍｍであることを特徴とする。
【００１３】
前記先端部の直径は、隣接する前記凸部の間または隣接する前記凹部の間の前記中間部の最短距離より大きいことを特徴とする。
【００１４】
前記シートは、一価アルコール、多価アルコール、グリコールエーテル、界面活性剤の内の少なくとも１種類以上と水とを含む薬液を、前記シート重量の１．０〜３．０倍の比率で含侵したことを特徴とする。
【発明の効果】
【００１５】
本発明により、水解性および強度に優れ、使用者に安心感を与える厚みのある清掃物品が得られる。
【図面の簡単な説明】
【００１６】
【図１】本発明のトイレ清掃用シートの斜視図である。
【図２】本発明のトイレ清掃用シートに形成された凸部、中間部および凹部のパターンを示す図である。
【図３】図２のトイレ清掃用シートの断面形状を示す図である。
【図４】中間部からの立ち上がり角を示す図である。
【図５】実施例４の断面形状を示す図である。
【発明を実施するための形態】
【００１７】
以下に本発明をその一実施形態であるトイレ清掃用シートに基づき説明する。
【００１８】
図１は本発明の一実施形態であるパルプ紙が複数層積層されたトイレ清掃用シートの斜視図である。図２はシートにエンボス加工された凸部１、中間部２および凹部３のパターンの配置を模式的に示す図であり、図３の（ａ）、（ｂ）、（ｃ）は、それぞれ図２のＡ−Ａ´方向の断面、Ｂ−Ｂ´方向の断面、Ｃ−Ｃ´方向の断面である。
図２のＸおよびＹは、それぞれシートにおける第１の方向および第１の方向に直交する第２の方向を示し、シートはＸおよびＹの方向に折り畳まれる。
【００１９】
本発明のトイレ清掃用シートは、針葉樹クラフトパルプ、広葉樹クラフトパルプの内、少なくとも一種類を原紙の製紙原料とする。製紙原料にはさらに古紙パルプ、機械パルプ、半化学パルプ、レーヨン繊維を配合してもよい。レーヨン繊維は原紙の嵩と水解性を向上させ、強度を低下させる効果があるので、レーヨン繊維の配合量によって、原紙の物性を調整できる。
また、製紙原料には原紙強度を向上させる水溶性バインダーとして、ポリビニルアルコール（ＰＶＡ）、カルボキシメチルセルロース（ＣＭＣ）、カルボキシメチルセルロースナトリウム塩（ＣＭＣ-Ｎａ）の内、少なくとも一種類を配合する。
さらに、ポリアミドポリアミンエピクロルヒドリン等湿潤紙力増強剤を適宜使用することもできる。水溶性バインダーの定着剤としてＰｏｌｙＤＡＤＭＡＣ等カチオン系薬剤を添加しても良い。
【００２０】
シートに含浸する洗浄用の薬液は、一価アルコール、多価アルコール、グリコールエーテル、界面活性剤の内の少なくとも１種類以上と水とを含む。薬液の含浸量はシート重量の１．０〜３．０倍の比率が好ましい。また、消臭剤や香料が配合されてもよい。
洗浄用の薬液は、水溶性のカルシウム塩、水溶性のマグネシウム塩、水溶性の亜鉛塩、ホウ酸の内、少なくとも１種類を含む。薬液中のカルシウムイオン、マグネシウムイオン、亜鉛イオンは、ＣＭＣおよびＣＭＣ-Ｎａとコンプレックスを生成し不溶化する。ホウ酸はＰＶＡとコンプレックスを生成し不溶化する。これらの不溶化されたバインダーによってシートはその使用中に高い強度を維持できる。また、使用後のシートが水中に投棄されると、多量の水と接したバインダーコンプレックスが解離しバインダーが水溶化する。
【００２１】
（トイレ清掃用シートの製造方法）
本発明のトイレ清掃用シートは、製紙原料から一般的な抄紙法で作成した水解紙を複数層重ねたシートに、凸エンボス模様と相補的な凹エンボス模様が刻設されたエンボスロールを用いるマッチドスチールまたはネステッド方式によりエンボス加工を行い製造する。
【００２２】
エンボス加工に用いるエンボスロールには、中間部、凸部、凹部の３要素が形成されている。ここで中間部とは、エンボスロールの曲面を平面に展開したとき、中断部の平坦な要素であり、凸部とはロール外側に向かって突出した要素、凹部とはロール中心方向に窪んだ要素である。凸部と凹部の要素はその先端部が中間部と略平行とされた形状をしている。
【００２３】
本発明のトイレ清掃用シートは、エンボス加工によりシートから突出する凸部１、平坦な中間部２、窪んだ凹部３が形成される。凸部１および凹部３の中心には、図４に示す先端部４が形成される。先端部４は中間部２と略平行な面である
凸部および凹部が先端の突出した曲面状では、その先端が潰れやすく嵩が低下しやすい。また、先端が潰れた凸部および凹部はシートの美粧性を損ねる。
しかし、本発明のトイレ清掃用シートでは、略平坦な先端部４を設けるため、凸部１および凹部３の先端が潰れ難くなり、嵩高の効果が維持され美粧性を損ねることがない。
【００２４】
また、エンボス加工においては、図４に模式的に示す中間部２から凸部または凹部３の球面が立ち上がる角ａを４５°〜７０°に設定する。立ち上がり角ａが４５°未満では嵩高効果が低く、７０°より大きいと過剰にシートが引き伸ばされてしまいシートの強度が低下する。
【００２５】
エンボス加工によってシートに設けられるパターンは、シート折り畳み方向である第１の方向Ｘに隣接する凸部１、および第１の方向に直交する第２の方向Ｙに隣接する凸部１が、隣接する凸部１の中心を結ぶ断面で、図３（ｃ）に示すように凸部１と中間部２とが連続し凹部３が存在しないパターンである。更に第１の方向Ｘおよび第２の方向Ｙに対して隣接する凹部３は、隣接する凹部３の中心を結ぶ断面が、図３（ａ）に示すように凹部３と中間部２とで連続しており凸部１が存在せず、第１の方向に対して４５°を成す第３の方向には、凸部１と凹部３とが交互に存在し、第３の方向に対して隣接する凸部１と凹部３の中心を結ぶ断面が、図３（ｂ）に示すように凸部１と凹部３とが連続するパターンである。
また、前記先端部４の直径は、隣接する凸部1の間にある中間部２、または隣接する凹部３の間にある中間部２の最短距離より大きくすることが好ましい。
【００２６】
このようなパターンがエンボス加工されたシートは、シートを第１の方向Ｘまたは第２の方向Ｙに二つに折り畳むとき、シートの折り畳み方向には凸部１と中間部２が交互に並んでおり、折り畳まれたシートの内側では凸部１どうしが接触し、エンボスの嵩高効果が有効に発揮される。また、凸部１には先端部４が形成され潰れ難くなっているので、嵩高の効果を維持することができる。
図２、３のように第１の方向Ｘおよび第２の方向Ｙに対して凸部と中間部が交互に並んでいるのでなく、凸部と凹部が混在するようなパターンでは、特に清掃物品とするために洗浄液を含侵した後では折り畳まれて接触した凸部と凹部が嵌り合って嵩が低下してしまうので好ましくない。
【００２７】
凸部１または凹部３の中間部２から先端部４までの高さは、凸部１および凹部３を球状にしたときの５０％〜７０％で、０．４ｍｍ〜１．２ｍｍとすることが好ましい。高さが低いと嵩効果が小さく、高いと過剰にシートを引き伸ばすことになり強度が低下する。
【００２８】
凸部１または凹部３の１個あたりの面積は、４ｍｍ２／個〜５０ｍｍ２／個が好ましい。１個あたりの面積が４ｍｍ２未満では嵩高効果が十分ではなく、５０ｍｍ２より大きくなると潰れやすくなる。
【００２９】
凸部１または凹部３の先端部４の直径は、隣接する凸部１間の中間部２または隣接する凹部３間の中間部２の最小距離よりも大きいことが好ましい。このようにエンボス加工されたシートは、第１の方向Ｘまたは第２の方向Ｙのどちらの方向に沿ってシートを折り畳んでも、凸部１または凹部３が中間部２に嵌まり込むことがなく、嵩を大きくすることができる。
【００３０】
エンボス加工により伸長されるシートの伸長率は第１の方向Ｘおよび第２の方向Ｙでは１０５％〜１２０％、第１の方向と４５°の角度をなす第３の方向において１１０％〜１３０％とする。
【００３１】
エンボス加工を終えたシートは裁断され、折り畳み工程で第１の方向または第２の方向に沿って二つに折り畳まれる。折り畳み工程でさらに四つ折り、八つ折りとすることもできる。
折り畳み工程で折り畳まれたシートに洗浄用の薬液を含浸させる工程を経て、洗浄用の薬液が含浸されたトイレ清掃用シートが製造される。
【００３２】
製造されたシートをＪＩＳ  Ｐ８１１３．５の装置を用い、調湿をせずに試験片幅３０ｍｍ、つかみ長さ１００ｍｍ、引張速度毎分１００ｍｍの条件で測定を行ったとき、抄紙方向の引張強度が２６０Ｎ／ｍ以上、抄紙方向と垂直方向の引張強度が１００Ｎ／ｍ以上であり、ＪＩＳ  Ｐ４５０１．４．２の試験条件で調湿を施した試料を、ＪＩＳ  Ｐ４５０１．４．５のほぐれやすさ試験をおこなったとき、ほぐれやすさの試験結果が１００ｓ以下であることが好ましい。
【実施例】
【００３３】
実施例として下記の製造方法でトイレ清掃用シートを作成し評価を行った。
（実施例１）
針葉樹クラフトパルプと広葉樹クラフトパルプの混合物を製紙原料とし、カルボキシメチルセルロースおよびカルボキシメチルセルロースナトリウム塩を水溶性バインダーとして配合した。
ヤンキードライヤーを有する抄紙機でクレープを施した坪量４３ｇ／ｍ２のパルプ紙を抄造し、この紙を２枚重ねにプライアップした後、エンボス加工により球の先端に中間部２と略平行な平坦部である先端部４が設けられた凹部３と凸部１のパターンを形成した。
【００３４】
実施例１の凸部１、中間部２、凹部３の配置は、図２、３に示すように、折り畳み方向に隣接する凸部１の中心を結ぶ断面は、凸部１と中間部２が連続し凹部３は存在せず、シート折り畳み方向に隣接する凹部３の中心を結ぶ断面は、凹部３と中間部２が連続し凸部１は存在しない。シート折り畳み方向に対し、４５°の方向には凸部１と凹部３が交互に存在する配置である。
【００３５】
凸部１および凹部３は、立ち上がり角ａ５５°、面積１１．６ｍｍ２、先端部４の直径（平行面直径）２．６２ｍｍ、中間部２からの高さ（エンボス高さ）０．６ｍｍにエンボス加工した。
エンボス加工後、所定のサイズに裁断し折り畳み工程で八つ折り加工を行った。八つ折り加工したシートに、水、エタノール、多価アルコール、グリコールエーテル、塩化カルシウム、界面活性剤を含む薬液を、原紙重量に対して１．６５倍の割合で含浸させ、実施例１のトイレ清掃用シートを得た。
【００３６】
（実施例２、３）
実施例１と同じ方法で実施例２、３のトイレ清掃用シートを作成した。実施例２、３は、凸部１と凹部３の配置は実施例１と同じであるがで、凸部１と凹部３の条件が表１に示すように異なる。
【００３７】
（実施例４）
実施例４は、実施例１で中間部２と略平行な平坦な面とした先端部４の中央に、図５に示す中間部２側に窪む窪み５をエンボス加工した。実施例４も先端が潰れ難く嵩高効果が維持でき、さらに先端部の窪み５が美粧性を高めることができる。
【００３８】
（比較例）
比較例１は先端部４を設けない点が実施例１と異なる。平坦な先端部4を設けないため、凸部１および凹部３の中間部２からのエンボス高さは、１．０ｍｍとなり実施例１よりも高い。
比較例２、３は先端部４を設けないことに加え、凸部１と凹部３の条件が表２に示すように実施例１とは異なる。
【００３９】
（評価）
実施例１〜４と比較例１〜３のトイレ清掃用のシートについて以下の評価を行った。
製品嵩高さ：八つ折り加工し薬液を含浸したシート１０枚を重ねたときの重ね方向の厚み。
薄いトイレ清掃用シートでは、使用者は薄くて不衛生であると感じるため、使用者に安心感を与えるために４０ｍｍ以上の厚さが好ましい。
製品強度：ＪＩＳ  Ｐ８１１３．５の装置を用い、調湿をせずに試験片幅３０ｍｍ、つかみ長さ１００ｍｍ、引張速度毎分１００ｍｍの条件で測定した値。
水解性：ＪＩＳ  Ｐ４５０１．４．２の試験条件で調湿を施した試料を、ＪＩＳ  Ｐ４５０１．４．５のほぐれやすさ試験で測定した値。
エンボス潰れ：トイレ清掃用シートの凸部１と凹部３の潰れ状態を目視で観察した。シート全体の７０％以上に潰れが見られ美粧性が悪いと感じられるものを×、３０〜７０％に潰れが見られ美粧性がやや悪いと感じられるものを△、潰れは３０％未満であり、美粧性に影響がないものを○と判定した。
実施例１〜４の評価結果を表１に、比較例１〜３の評価結果を表２にまとめる。
【００４０】
【表１】
0006438712.tif 000002
【００４１】
【表２】
0006438712.tif 000003
【００４２】
本発明の実施例１では比較例１よりもエンボス高さが低いにも係らず、比較例１よりも製品嵩高さが高い。これは、実施例１では先端部４を設けたことにより、洗浄用の薬液を含浸させた後でも、凸部１および凹部３の先端が潰れることなく嵩高の効果が維持されているのに対し、比較例では潰れてしまい嵩高の効果が維持できないためと考えられる。
また、実施例２〜４においても凸部１および凹部３の潰れがなく、４０ｍｍ以上の厚みと強度を備えたトイレ清掃用シートが得られている。
【００４３】
比較例２では凸部１と凹部３が小さいため、先端の潰れは比較例１よりも改善されたが、嵩高効果が小さく製品嵩高さが３５ｍｍで必要な厚みが得られない。また、凸部１と凹部３を大きくした比較例３では嵩高さを５４ｍｍにできたが、製品縦強度および製品横強度が低下して拭き取り作業に耐える強度が得られない。
表１、２より、本発明の実施例１〜４では、先端部４を設けることにより、水解性および強度に優れ、使用者に安心感を与える厚みのあるトイレ清掃用シートが得られることがわかる。
【００４４】
以上、本発明を実施の形態に基づき説明したが、本発明は実施の形態例に限定されるものではなく、その要旨を逸脱しない範囲で種々変更が可能である。
【符号の説明】
【００４５】
１            凸部
２            中間部
３            凹部
４            先端部
５            先端部の窪み
ａ            立ち上がり角
【図１】
0006438712.tif 000004
【図２】
0006438712.tif 000005
【図３】
0006438712.tif 000006
【図４】
0006438712.tif 000007
【図５】
0006438712.tif 000008